(57)【要約】【課題】組み立てが容易なセル積層体を提供する。【解決手段】セル積層体は、バイポーラ板２１と、バイポーラ板２１が嵌合する段差部１５を含む保持部材１１と、枠状の固定部材２３と、ガスケット３１とを備える。保持部材１１は、一方の表面に正極電解液が流通する溝部を有し、他方の表面に負極電解液が流通する溝部を有する。ガスケット３１は、保持部材１１に挟まれる平板部３２と、平板部３２から突出する突出部３３ａとを含む。保持部材１１の溝部および固定部材２３の溝部がガスケット３１の平板部３２に覆われて電解液の流路が形成されている。また、ガスケット３１の突出部３３ａが保持部材１１に圧接して貫通穴部の周りが密閉されている。【選択図】図３
2015215948.tif 000002
【特許請求の範囲】
【請求項１】
正極電解液室および負極電解液室が隔膜にて仕切られたセル積層体であって、
一方の表面が正極電解液室を構成し、他方の表面が負極電解液室を構成する双極板と、
双極板の一部が露出する穴部と、前記穴部の周りに形成され、双極板が嵌合する段差部と、電解液が流通する貫通穴部とを含む双極板保持部材と、
前記段差部に嵌合し、前記段差部に配置された双極板を押圧する枠状の固定部材と、
互いに隣り合う双極板保持部材同士の間に配置された密閉部材とを備え、
双極板保持部材は、一方の表面に形成され、正極電解液が流通する溝部と、他方の表面に形成され、負極電解液が流通する溝部とを有し、
固定部材は、正極電解液室または負極電解液室に連通する溝部を有し、
密閉部材は、双極板保持部材に挟まれる平板部と、貫通穴部の周りに配置され、平板部から突出する突出部とを含み、
双極板保持部材の溝部および固定部材の溝部が密閉部材の平板部に覆われて電解液の流路が形成され、密閉部材の突出部が双極板保持部材に圧接して貫通穴部の周りが密閉されていることを特徴とする、セル積層体。
【請求項２】
密閉部材は、双極板保持部材の前記穴部に対応する開口部と、開口部の壁面に周方向に沿った切断部とを有し、
隔膜は、切断部に挿入されて密閉部材に挟まれて保持されている、請求項１に記載のセル積層体。
【請求項３】
切断部の高さは、隔膜の厚さよりも小さく形成されている、請求項２に記載のセル積層体。
【請求項４】
双極板保持部材は、密閉部材が接触する面の外縁に沿って形成された環状の凹部を有し、
密閉部材は、双極板保持部材の環状の凹部に挿入される環状の突出部を有する、請求項１から３のいずれか一項に記載のセル積層体。
【請求項５】
密閉部材の突出部は、貫通穴部に連通する溝部が通る領域に形成された切欠き部を有する、請求項１から４のいずれか一項に記載のセル積層体。
【請求項６】
双極板保持部材の溝部は、貫通穴部に連通する主流路部と、主流路部から固定部材の溝部に電解液を供給する補助流路部とを有し、
貫通穴部は、双極板保持部材の上部及び下部に形成されており、
主流路部は、貫通穴部から前記段差部の形状に沿って延びる延長部を有する、請求項１から４のいずれか一項に記載のセル積層体。
【請求項７】
補助流路部は、延長部に接続され、前記段差部の形状に沿って延びるヘッダ部と、ヘッダ部から正極電解液室または負極電解液室に向かって延びる複数の供給部とを有する、請求項６に記載のセル積層体。
【請求項８】
請求項１から７のいずれか一項に記載のセル積層体を備える、蓄電池。
【発明の詳細な説明】
【技術分野】
【０００１】
本発明は、セル積層体およびセル積層体を備える蓄電池に関する。
【背景技術】
【０００２】
従前から二次電池の蓄電容量や入出力電力を大きくするための開発が継続されている。近年は、風力発電や太陽光発電等の再生可能エネルギーの利用が注目されている。しかし、再生可能エネルギーは発電量が変動するため、電力の変動を平準化したりあるいは余剰の電力を蓄えたりする必要がある。このような電力を利用し、家庭や工場等に電力を供給できる蓄電容量が大きな二次電池としては、レドックスフロー電池が知られている。レドックスフロー電池は、電解液に含まれるイオンの酸化反応および還元反応を利用した電池である。レドックスフロー電池としては、鉄−クロム系やバナジウム系等が知られているが、近年では正極側と負極側の金属イオンの種類が同一のバナジウム系の開発が積極的に進められている。
【０００３】
レドックスフロー電池は、充放電に伴う反応がイオンの価数の変化のみであるために蓄電池の寿命が長いという特徴を有する。また、常温で運転可能であり、燃焼性の物質を用いないために、安全性が高いという特徴を有する。このレドックスフロー電池は、正極電解液が充填された正極電解液室と、負極電解液が充填された負極電解液室とが隔膜にて仕切られた構造を有する。そして、レドックスフロー電池は、正極電解液のタンクおよび負極電解液のタンクを備え、正極電解液室と正極電解液のタンクとの間および負極電解液室と負極電解液のタンクとの間で電解液を循環させる構造を有する。
【０００４】
特開２０１３−８０６１１号公報には、セルフレーム、正極双極板、隔膜および負極双極板が積層されているセルスタックが開示されている。このセルフレームは、正極電解液および負極電解液の流路となる正極電解液用流路と負極電解液用流路とを有する。そして、複数のセルフレームの電解液用流路の構造が異なり、中央に位置するセルフレームから端部に位置するセルフレームになるにつれて、電解液用流路における電気抵抗が大きくなるように構成されている。
【０００５】
特開２００５−２２８６３３号公報には、隔膜を間に挟んで配置された第１双極板および第２双極板と、第１双極板および第２双極板の外周を固定する第１フレームおよび第２フレームと、フレームに設けられた貫通穴である配液口と配液口のＯリングとからなるレドックスフロー電池が開示されている。この公報には、配液口のＯリングが、隔膜の外側に配置されることが開示されている。
【先行技術文献】
【特許文献】
【０００６】
【特許文献１】特開２０１３−８０６１１号公報
【特許文献２】特開２００５−２２８６３３号公報
【特許文献３】特開２０１２−２１５２９１号公報
【発明の概要】
【発明が解決しようとする課題】
【０００７】
レドックスフロー電池は、正極室、隔膜および負極室を含む電池セルを備える。レドックスフロー電池は、入出力電力を大きくするために複数の電池セルが積層されたセルスタックと称されるセル積層体が構成される。セル積層体は、双極板および隔膜を保持する枠体を積層することにより形成することが知られている。
【０００８】
入出力電力を大きくするためには、多数の電池セルを積層したセル積層体を形成することが好ましい。セル積層体では、電解液室に充填される電解液が外部に漏れないように密閉する必要がある。更に、セル積層体には、外部に配置された電解液のタンクから供給される電解液を電解液室に供給したり電解液室から排出したりするための電解液の流路を形成する必要がある。また、電解液の流路についても電解液が外部に漏れないように密閉する必要がある。
【０００９】
このように電解液の漏れを防止するために、電解液室の周りや電解液の流路にＯリングなどの密閉部材を個別に配置することができる。ところが、密閉すべき部分を個別にＯリングなどで密閉すると、部品点数が多くなり、組み立て工程において多くの工程が必要になるという問題がある。
【００１０】
本発明は、組み立てが容易なセル積層体およびセル積層体を備える蓄電池を提供することを目的とする。
【課題を解決するための手段】
【００１１】
本発明のセル積層体は、正極電解液室および負極電解液室が隔膜にて仕切られたセル積層体であって、一方の表面が正極電解液室を構成し、他方の表面が負極電解液室を構成する双極板と、双極板の一部が露出する穴部と、穴部の周りに形成され、双極板が嵌合する段差部と、電解液が流通する貫通穴部とを含む双極板保持部材と、段差部に嵌合し、段差部に配置された双極板を押圧する枠状の固定部材と、互いに隣り合う双極板保持部材同士の間に配置された密閉部材とを備える。双極板保持部材は、一方の表面に形成され、正極電解液が流通する溝部と、他方の表面に形成され、負極電解液が流通する溝部とを有する。固定部材は、正極電解液室または負極電解液室に連通する溝部を有する。密閉部材は、双極板保持部材に挟まれる平板部と、貫通穴部の周りに配置され、平板部から突出する突出部とを含む。双極板保持部材の溝部および固定部材の溝部が密閉部材の平板部に覆われて電解液の流路が形成され、密閉部材の突出部が双極板保持部材に圧接して貫通穴部の周りが密閉されている。
【００１２】
上記発明においては、密閉部材は、双極板保持部材の穴部に対応する開口部と、開口部の壁面に周方向に沿った切断部とを有し、隔膜は、切断部に挿入されて密閉部材に挟まれて保持されることが好ましい。
【００１３】
上記発明においては、切断部の高さは、隔膜の厚さよりも小さく形成されていることが好ましい。
【００１４】
上記発明においては、双極板保持部材は、密閉部材が接触する面の外縁に沿って形成された環状の凹部を有し、密閉部材は、双極板保持部材の環状の凹部に挿入される環状の突出部を有することが好ましい。
【００１５】
上記発明においては、密閉部材の突出部は、貫通穴部に連通する溝部が通る領域に形成された切欠き部を有することが好ましい。
【００１６】
上記発明においては、双極板保持部材の溝部は、貫通穴部に連通する主流路部と、主流路部から固定部材の溝部に電解液を供給する補助流路部とを有し、貫通穴部は、双極板保持部材の上部及び下部に形成されており、主流路部は、貫通穴部から段差部の形状に沿って延びる延長部を有することが好ましい。
【００１７】
上記発明においては、補助流路部は、延長部に接続され、段差部の形状に沿って延びるヘッダ部と、ヘッダ部から正極電解液室または負極電解液室に向かって延びる複数の供給部とを有することが好ましい。
【００１８】
本発明の蓄電池は、上述のセル積層体を備える。
【発明の効果】
【００１９】
本発明によれば、組み立てが容易なセル積層体および蓄電池を提供することができる。
【図面の簡単な説明】
【００２０】
【図１】実施の形態における蓄電池の斜視図である。
【図２】実施の形態における蓄電池の構造を説明する概略図である。
【図３】実施の形態におけるセル積層体の分解斜視図である。
【図４】実施の形態における第１のセル積層体の断面図である。
【図５】実施の形態における第１のセル積層体を分解したときの断面図である。
【図６】実施の形態における第１のセル積層体の保持部材の平面図である。
【図７】実施の形態における第１のセル積層体の固定部材の平面図である。
【図８】実施の形態における第１のセル積層体のガスケットの平面図である。
【図９】実施の形態における第１のセル積層体のガスケットの断面図である。
【図１０】実施の形態における第１のセル積層体の端部を分解したときの断面図である。
【図１１】実施の形態における第２のセル積層体の保持部材および固定部材の平面図である。
【図１２】実施の形態における第２のセル積層体の固定部材の平面図である。
【図１３】実施の形態における第２のセル積層体のガスケットの平面図である。
【図１４】実施の形態における第２のセル積層体のガスケットの断面図である。
【発明を実施するための形態】
【００２１】
図１から図１４を参照して、実施の形態におけるセル積層体およびセル積層体を備える蓄電池について説明する。本実施の形態における蓄電池は、レドックスフロー電池であり、電池セルの積層体であるセル積層体を備える。
【００２２】
図１は、本実施の形態における蓄電池の斜視図である。蓄電池１は、双極板を保持する保持部材１１とガスケット３１とが積層されたセル積層体を含む。矢印９０示す方向は、電池セルが積層されている積層方向である。セル積層体の端部には、エンドプレート２が配置されている。エンドプレート２同士は、固定棒３を介して固定されている。ナット４を締め付けることにより、セル積層体を保持部材１１が積層されている方向に押圧することができる。すなわち、セル積層体の内部の構成部品には、積層方向に圧縮される力が印加される。
【００２３】
レドックスフロー電池は、水溶液系の二次電池である。正極電解液室には正極電解液が流れ、負極電解液室には負極電解液が流れる構造を有する。充電およびまたは放電の動作により、それぞれの電解液室の電解液のイオン価数が変化する。レドックスフロー電池は、電解液を貯留するタンクを備え、充電または放電によりイオン価数が変化した電解液がタンクに戻される。そして、タンク内より新たな電解液が電解液室に供給される。このために、安定した放電および充電を行うことができる。電解液としては、例えば、バナジウム塩の硫酸水溶液を用いることができる。
【００２４】
図２は、本実施の形態の蓄電池の構造を説明する概略断面図である。矢印８３に示す領域は、１つの電池セルを示している。セル積層体は、複数の電池セルが積層された構造を有する。電池セルは、正極電解液が充填される正極電解液室としての正極室８１と、負極電解液が充填される負極電解液室としての負極室８２と、正極室８１と負極室８２とを仕切る隔膜としての隔膜２８とを含む。本実施の形態の隔膜２８は、水素イオンが通過できるように形成されている。セル積層体は、矢印９０に示す積層方向において正極室８１と負極室８２とが交互に形成されている。
【００２５】
互いに隣り合う電池セル同士の間には、双極板としてのバイポーラ板２１が配置されている。バイポーラ板２１は、一方の表面が正極室８１の壁面を構成し、他方の表面が負極室８２の壁面を構成する。または、バイポーラ板２１は、電極および集電板としても機能する。本実施の形態のバイポーラ板２１は、１つの材質で一体的に形成されている。バイポーラ板２１は、例えば、黒鉛で形成することができる。バイポーラ板２１は、双極板保持部材としての保持部材１１に保持されている。互いに隣り合う保持部材１１同士の間には、密閉部材としてのガスケット３１が配置されている。本実施の形態における隔膜２８は、ガスケット３１に保持されている。
【００２６】
本実施の形態の蓄電池１は、セル積層体の正極室８１に正極電解液を供給する正極電解液供給装置と、セル積層体の負極室８２に負極電解液を供給する負極電解液供給装置とを含む。保持部材１１には、正極電解液が正極室８１に流入する流路および流出する流路が形成されている。正極電解液が正極室８１に流入する流路は、正極電解液流入管５ａに接続されている。正極電解液が正極室８１から流出する流路は、正極電解液流出管５ｂに接続されている。正極電解液流出管５ｂは、正極電解液を貯留するタンク６ａに接続されている。正極電解液流入管５ａは、ポンプ７ａを介してタンク６ａに接続されている。
【００２７】
また、保持部材１１には、負極電解液が負極室８２に流入する流路および流出する流路が形成されている。負極電解液が負極室８２に流入する流路は、負極電解液流入管５ｃに接続されている。負極電解液が負極室８２から流出する流路は、負極電解液流出管５ｄに接続されている。負極電解液流出管５ｄは、負極電解液を貯留するタンク６ｂに接続されている。また、負極電解液流入管５ｃは、ポンプ７ｂを介してタンク６ｂに接続されている。
【００２８】
タンク６ａに貯留する正極電解液は、ポンプ７ａが駆動することにより、矢印９１に示すように正極電解液流入管５ａを通って正極室８１に流入する。正極室８１では、矢印９５に示す様に正極電解液が流通する。正極室８１から流出する正極電解液は、矢印９２に示すように正極電解液流出管５ｂから流出する。そして、正極電解液は、タンク６ａに戻される。
【００２９】
負極電解液においても同様に、ポンプ７ｂが駆動することにより、矢印９３に示すように、タンク６ｂから負極室８２に流入する。負極室８２では、矢印９６に示すように、負極電解液が流れる。そして、負極室８２から流出する負極電解液は、矢印９４に示すように、負極電解液流出管５ｄから流出する。負極電解液流出管５ｄから流出した負極電解液は、タンク６ｂに戻される。
【００３０】
正極電解液および負極電解液は、イオンの価数が異なるバナジウムイオン水溶液を用いることができる。たとえば、正極室では、放電することにより５価のバナジウムイオンが、４価のバナジウムイオンに変化する。負極室においては、放電することにより２価のバナジウムイオンが３価のバナジウムイオンに変化する。この時に負極室８２の水素イオンは、隔膜２８を通過して正極室８１に流入する。充電時には、放電と逆の反応が生じる。
【００３１】
図３に、本実施の形態の第１のセル積層体の概略分解斜視図を示す。図４に、本実施の形態の第１のセル積層体の中央部の断面図を示す。図３および図４を参照して、保持部材１１の中央部に、バイポーラ板２１が嵌め込まれている。そして、バイポーラ板２１を押圧して固定するための固定部材２３が嵌め込まれている。本実施の形態の正極室８１および負極室８２のそれぞれには、フェルト２７が配置されている。フェルト２７は、例えば、炭素繊維から形成することができる。フェルト２７は、バイポーラ板２１に接触し、バイポーラ板２１と電気的に導通している。フェルト２７は導電性を有し、正極電極または負極電極として機能する。
【００３２】
電解液は、フェルト２７の内部を流通する。正極室８１または負極室８２の内部に、フェルト２７を配置することにより、正極電解液と正極電極または負極電解液と負極電極との接触面積を大きくすることができて反応を促進することができる。
【００３３】
本実施の形態のガスケット３１は、保持部材１１同士が向かい合う表面を覆うように形成されている。ガスケット３１は、２つの保持部材１１に挟み込まれることにより、電解液室の密閉や電解液の流路の密閉を達成する。さらに、ガスケット３１の中央部には、開口部３７が形成されている。開口部３７には、隔膜２８が配置されている。
【００３４】
矢印８３に示す領域の１つの電池セルは、１つの保持部材１１およびバイポーラ板２１の半分の領域と 、ガスケット３１と、他の保持部材１１およびバイポーラ板２１の半分の領域とにより構成されている。このために１つの保持部材１１の一方の側には正極室８１が形成され、他方の側には負極室８２が形成されている。このように、電池セルが積層されることにより第１のセル積層体が構成されている。
【００３５】
保持部材１１の内部には、正極電解液が流入または流出する流路および負極電解液が流入または流出する流路が形成されている。図４に示す例では、保持部材１１に負極電解液が流出する負極流出穴部１２ｄが形成されている。互いに隣り合う保持部材１１の負極流出穴部１２ｄが連通することにより、負極室８２から流出する負極電解液の流路が構成されている。また、保持部材１１には、正極流入穴部１２ａが形成されている。互いに隣り合う保持部材１１の正極流入穴部１２ａが連通することにより、正極電解液流入管５ａから正極室８１に流入する正極電解液の流路が構成されている。
【００３６】
次に、第１のセル積層体の構成部材について詳しく説明する。図５に、第１のセル積層体を分解したときの断面図を示す。図６に、保持部材の平面図を示す。図５は、図６におけるＡ−Ａ線に沿って切断したときの断面図である。図５に示す例では、保持部材１１の右側に負極室８２が形成され、保持部材１１の左側に正極室８１が形成される。また、図６は、正極室の側の表面および負極室の側の表面のうち、負極室の側の表面を示している。
【００３７】
図５および図６を参照して、本実施の形態の保持部材１１は、板状に形成されている。保持部材１１は、バイポーラ板２１の一部が露出する穴部１６を含む。本実施の形態の穴部１６は、平面形状が長方形に形成されている。保持部材１１は、穴部１６の周りに形成され、バイポーラ板２１が嵌合する段差部１５を含む。保持部材１１は、段差部１５から離れて形成され、電解液を流通させる流路を構成する貫通穴部を含む。貫通穴部は、正極電解液が流入する流路を構成する正極流入穴部１２ａと、正極電解液が流出する流路を構成する正極流出穴部１２ｂとを有する。また、貫通穴部は、負極電解液が流入する流路を構成する負極流入穴部１２ｃと、負極電解液が流出する流路を構成する負極流出穴部１２ｄとを有する。
【００３８】
本実施の形態の蓄電池１は、所定の位置に固定するときの上下方向が予め定められている。それぞれの電解液室において、電解液は蓄電池１の下部から上部に向けて流れる。正極流出穴部１２ｂおよび負極流出穴部１２ｄは、保持部材１１の上部に形成されている。また、正極流入穴部１２ａおよび負極流入穴部１２ｃは、保持部材１１の下部に形成されている。このように、本実施の形態の貫通穴部は、保持部材１１の上部および下部に形成されている。また、貫通穴部は、保持部材１１を平面視したときの角部の近傍に形成されている。
【００３９】
本実施の形態のバイポーラ板２１は、板状に形成されている。バイポーラ板は、外縁の形状が保持部材１１の段差部１５の形状に対応するように形成されている。また、バイポーラ板２１の外周部には、保持部材１１の段差部１５に嵌合する段差部２２が形成されている。
【００４０】
図７に、固定部材の平面図を示す。図５および図７を参照して、第１のセル積層体は、段差部１５に嵌め込まれたバイポーラ板２１を固定する固定部材２３を含む。固定部材２３は、保持部材１１の段差部１５に嵌合するように形成されている。固定部材２３は、開口部２５を有する枠形に形成されている。開口部２５は負極室の壁面を構成する。固定部材２３の平面形状は、保持部材１１の段差部１５と略同じになるように形成されている。また、フェルト２７の平面形状は、開口部２５とほぼ同じになるように形成されている。
【００４１】
保持部材１１や固定部材２３は、電解液と化学反応を生じない材質にて形成することができる。例えば、酸に対する耐性を有する塩化ビニル樹脂、ポリエチレン樹脂、ポリプロピレン樹脂等の材質を用いることができる。固定部材２３は、正極室８１または負極室８２に連通する溝部１３ｆを有する。
【００４２】
図３および図５を参照して、セル積層体の組み立て時には、矢印１０１に示すように保持部材１１の段差部１５に、バイポーラ板２１および固定部材２３が嵌め込まれる。さらに、フェルト２７は、固定部材２３の開口部２５に嵌め込まれる。なお、バイポーラ板は、接着剤等により予め保持部材に固定しておいても構わない。または、バイポーラ板が保持部材に圧入されるように形成されていても構わない。これらの構成を採用することにより、セル積層体の組み立てを更に容易にすることができる。
【００４３】
本実施の形態では、保持部材１１の段差部１５が形成されている表面の側に負極室８２が形成される。一方で、保持部材１１の段差部１５が形成されている側と反対側では、矢印１０２に示されるように、正極室８１に配置されるフェルト２７が穴部１６に挿入される。正極室８１に配置されるフェルト２７は、保持部材１１の穴部１６の形状に対応して形成されている。
【００４４】
図６を参照して、保持部材１１の負極室を構成する側の表面には、負極電解液が流通する流路を構成する溝部が形成されている。保持部材１１の溝部は、貫通穴部に連通する主流路部と、主流路部から固定部材２３の溝部に電解液を供給する補助流路部とを有する。溝部１３ｂは、負極電解液が流入する負極流入穴部１２ｃに連通する主流路部として機能する。溝部１３ｂは、負極流入穴部１２ｃから段差部１５の形状に沿って延びる延長部を有する。
【００４５】
溝部１３ｃ，１３ｄは、補助流路部として機能する。溝部１３ｃは、溝部１３ｂに接続され、段差部１５の形状に沿って延びるヘッダ部として機能する。また、溝部１３ｄは、溝部１３ｃから固定部材２３の溝部１３ｆに向かって延びる供給部として機能する。本実施の形態では、複数の溝部１３ｄが、略同じ間隔を空けて形成されている。溝部１３ｄは、固定部材２３に形成されたに溝部１３ｆに連通する。
【００４６】
また、負極流入穴部１２ｃの周りには、凹部１３ａが形成されている。負極流入穴部１２ｃと凹部１３ａとの間に形成された凸部には、切欠き部１９ｃが形成されている。切欠き部１９ｃは、溝部１３ｂに対応する領域に形成されている。切欠き部１９ｃが形成されていることにより、負極流入穴部１２ｃにより構成される流路と溝部１３ｂにより構成される流路とが連通する。
【００４７】
負極流出穴部１２ｄに接続されている溝部についても負極流入穴部１２ｃに接続されている溝部と同様である。負極流出穴部１２ｄに接続されている溝部は、主流路部として機能する溝部１３ｂと、補助流路部のヘッダ部として機能する溝部１３ｃと、補助流路部の供給部として機能する溝部１３ｄとを有する。負極流出穴部１２ｄの周りには、凹部１３ａが形成されている。負極流出穴部１２ｄと凹部１３ａとの間の凸部には切欠き部１９ｄが形成されている。
【００４８】
図７を参照して、固定部材２３の溝部１３ｆは、保持部材１１の溝部１３ｄの位置に対応して形成されている。固定部材２３が保持部材１１に嵌め込まれたときに、溝部１３ｆが溝部１３ｄに連通する。
【００４９】
図８に、本実施の形態のガスケットの概略平面図を示す。図５および図８を参照して、第１のセル積層体は、密閉部材としてのガスケット３１を備える。本実施の形態のガスケット３１は、一つの材質で一体的に形成されている。ガスケット３１は、たとえば、エチレンプロピレンゴムやクロロプレンゴム、フッ素ゴムなどの弾性を有する材料にて形成することができる。ガスケット３１は、板状に形成された平板部３２と、平板部３２から突出する線状の突出部３３ａ，３３ｂを有する。保持部材１１の貫通穴部に対応する位置には穴部３５が形成されている。穴部３５は、保持部材１１の貫通穴部と連通する。
【００５０】
突出部３３ａは、穴部３５の周りに形成されている。突出部３３ａは、保持部材１１の貫通穴部の周りに形成された凹部１３ａに配置される。突出部３３ｂは、平板部３２の外縁に沿って延びるように形成されている。突出部３３ａおよび突出部３３ｂは、平板部３２の表裏の両側の表面に形成されている。
【００５１】
図５を参照して、セル積層体の組み立て時には、保持部材１１の段差部１５に、バイポーラ板２１、固定部材２３およびフェルト２７を配置した後に、ガスケット３１を配置する。ガスケット３１の平板部３２が、保持部材１１の平面的な部分に挟まれることにより、正極室および負極室の密閉が達成される。また、保持部材１１の表面に形成された溝部および固定部材２３に形成された溝部がガスケット３１の平板部３２に覆われることにより、電解液の流路が形成される。
【００５２】
また、ガスケット３１の突出部３３ａが保持部材１１の凹部１３ａに配置される。突出部３３ａが凹部１３ａに圧接することより、貫通穴部の周りの密閉を達成することができる。すなわち、それぞれの正極流入穴部１２ａ、正極流出穴部１２ｂ、負極流入穴部１２ｃ、および負極流出穴部１２ｄの周りの密閉を達成し、電解液の漏れを抑制することができる。図８を参照して、本実施の形態のガスケット３１の突出部３３ａは、溝部１３ｂが通る領域に形成された切欠き部３４を有する。切り欠き部３４を形成することにより、貫通穴部にて構成される流路と溝部１３ｂにより構成される流路との接続部分の流路断面積を大きくすることができる。電解液の圧力損失を低減することができる。
【００５３】
さらに、図６を参照して、保持部材１１は、ガスケット３１が接触する面の外縁に沿って形成された環状の凹部１３ｅを有する。ガスケット３１の突出部３３ｂは、保持部材１１が凹部１３ｅに配置される。突出部３３ｂが凹部１３ｅに圧接することにより密閉が達成される。この構成により、保持部材１１に形成された電解液の流路、正極室および負極室からの電解液の漏れをより確実に防止することができる。
【００５４】
図４および図６を参照して、正極電解液および負極電解液のうち負極電解液を例示して説明すると、負極流入穴部１２ｃに供給された負極電解液は、矢印１１１に示すように、保持部材１１の溝部１３ｂを通って溝部１３ｃに供給される。そして、矢印１１２に示すように溝部１３ｄおよび固定部材２３の溝部１３ｆを通って負極室８２に供給される。負極室８２から流出する負極電解液は、矢印１１３に示す様に、固定部材２３の溝部１３ｆおよび保持部材１１の溝部１３ｄを通って溝部１３ｃに流入する。そして、負極電解液は、溝部１３ｂを通って負極流出穴部１２ｄに流入する。
【００５５】
正極室８１に正極電解液を供給する溝部や正極室８１から正極電解液が流出する溝部は、図６に示す保持部材１１の裏側に形成されている。正極電解液が流通する溝部は、貫通穴部としての正極流入穴部１２ａおよび正極流出穴部１２ｂに接続されていることが、負極電解液が流通する溝部と異なる。また、保持部材１１の正極室が構成される側には、固定部材２３が配置されていないために、保持部材１１の供給部として機能する溝部１３ｄがヘッダ部から正極室８１まで延びている。
【００５６】
保持部材１１の裏側には、正極流入穴部１２ａに連通する主流路部を有する溝部１４ｂが形成されている。溝部１４ｂは、段差部１５の形状に沿って延びる延長部を有する。そして、主流路部に接続されている補助流路部を通って正極室８１に正極電解液が供給される。補助流路部は、溝部１４ｂに連通するヘッダ部として機能する溝部１４ｃと、およびヘッダ部から正極室に正極電解液を供給する供給部として機能する溝部１４ｄとを有する。正極電解液は、正極流入穴部１２ａから溝部１４ｂ，１４ｃ，１４ｄを通って正極室８１に流入する。
【００５７】
正極室８１から流出する正極電解液の流路も正極室８１に流入する正極電解液の流路と同様の構成を有する。正極室８１から流出する正極電解液は、供給部およびヘッダ部を含む補助流路を通って、主流路部を含む溝部１４ｂに流入する。そして、正極電解液は、溝部１４ｂから正極流出穴部１２ｂに流入する。
【００５８】
このように、保持部材１１に形成されている貫通穴部により、電解液が流入する流路および電解液が流出する流路が構成されている。そして、保持部材１１の表面に形成された溝部により、正極室または負極室に電解液を供給する流路、および正極室または負極室から電解液が流出する流路が構成されている。
【００５９】
図８を参照して、本実施の形態のガスケット３１は、保持部材１１の穴部１６に対応する形状の開口部３７を有する。本実施の形態の開口部３７は、平面視したときの形状が穴部１６と同じになるように形成されている。
【００６０】
図９に、図８におけるＢ−Ｂ線に沿って切断した概略断面図を示す。ガスケット３１は、開口部３７の壁面に周方向に沿って形成された切断部３６を有する。隔膜２８は、切断部３６に挿入される。そして、セル積層体の組み立て時に積層方向に圧縮されることにより、隔膜２８がガスケット３１に保持される。隔膜２８とガスケット３１との境界部分が密閉される。
【００６１】
比較例のセル積層体としては、隔膜の表裏の両側にガスケットを配置することができる。しかしながら、２枚のガスケットが必要になる。これに対して、本実施の形態のガスケット３１は、隔膜を挟むために１枚のガスケットで足りる。このために、セル積層体の組み立てを容易することができる。また、予め隔膜２８をガスケット３１の切断部３６に挿入することにより、ガスケット３１と隔膜２８とが一体化して、セル積層体の組み立てを容易にすることができる。更に、複数のガスケットにて隔膜を挟む必要がなく、電池セルを薄くすることができる。ガスケット３１としては、たとえば、切断部３６以外の領域の平板部の厚さを２ｍｍ以下に形成することができる。この場合に切断部３６の高さは、１ｍｍ以下に形成することができる。
【００６２】
本実施の形態の切断部３６の高さは、隔膜２８の厚さよりも小さく形成されている。すなわち、切断部３６に隔膜２８を挿入すると、ガスケット３１の厚さが隔膜２８を挿入する前よりも大きくなるように形成されている。この構成により、積層方向の圧縮力が大きくなり、ガスケットと切断部との境界をより確実に密閉することができる。また、ガスケット３１にて隔膜２８を確実に保持することができる。更に、セル積層体を組み立てるときに切断部から隔膜が外れることを抑制することができる。なお、隔膜２８は、接着剤等によりガスケット３１に接着されていても構わない。
【００６３】
本実施の形態のガスケット３１の平板部３２は、平パッキンの機能を有し、突出部３３ａ，３３ｂは、Ｏリングの機能を有する。第１のセル積層体の組み立て時には、貫通穴部の周りに個別にＯリングを配置したり、保持部材の外縁に沿ってＯリングを配置したり、保持部材同士が対向する部分に平パッキンを配置する必要がなく、１つのガスケット３１を保持部材１１同士の間に配置すれば良い。このために、簡易に組み立てを行うことができる。特に、本実施の形態のセル積層体の構造は、電池セルの積層数が多い蓄電池に好適である。なお、本実施の形態ガスケット３１は、一つの材質から一体的に形成されているが、この形態に限られず、セル積層体の組み立ての段階で一体的に形成されていれば構わない。
【００６４】
また、本実施の形態の第１のセル積層体は、保持部材１１の段差部１５に、バイポーラ板２１および固定部材２３が嵌合する。このために、セル積層体の組み立てを容易に行うことができる。特に、バイポーラ板２１および固定部材２３の保持部材１１における位置決めを容易に行うことができる。また、本実施の形態の保持部材１１および固定部材２３の製造では、表面に凹凸形状を形成すれば良い。すなわち、保持部材の内部や固定部材の内部に電解液を流通させる流路を形成する必要がなく、表面に溝部を作成したり貫通穴を形成したりすれば良い。このために、保持部材および固定部材を容易に製造することができる。
【００６５】
図６を参照して、本実施の形態の保持部材１１は、貫通穴部から段差部の形状に沿って延びる延長部を構成する溝部１３ｃ，１４ｃを有する。この構成により、貫通穴部から正極室または負極室までの距離を長くすることができて、シャントカレントを低減することができる。また、保持部材１１の溝部１３ｂ，１４ｂは、段差部１５の形状に沿って延びるヘッダ部を有する。また、保持部材１１の溝部は、ヘッダ部から正極室または負極室に向かって延びる複数の供給部として溝部１３ｄ，１４ｄを有する。この構成により、複数の供給部からほぼ均等の圧力にて正極室または負極室に電解液が流入する。または、正極室または負極室から均等に電解液が流出する。このために、電極であるフェルト２７の内部全体に均一な流量で電解液を流すことができる。この結果、電極反応が均一になり発電密度の偏りを小さくすることができる。
【００６６】
また、図３および図５を参照して、本実施の形態のバイポーラ板２１は、段差部２２を有する。段差部２２の高さを変化させることにより、正極室または負極室の積層方向の幅を変化させることができる。すなわち、フェルト２７の圧縮率も変化させることができる。しかし、この段差部は場合によってはなくても良い。
【００６７】
次に、本実施の形態の第１のセル積層体の端部の構造について説明する。図１０に、本実施の形態の第１のセル積層体の端部の分解断面図を示す。図２および図１０を参照して、第１のセル積層体の端部に配置されたエンドプレート２には、負極電解液流入管５ｃや正極電解液流出管５ｂ等の電解液の流通管が接続される。また、エンドプレート２には、固定棒３が挿入される挿通穴５９が形成されている。第１のセル積層体の端部では、正極または負極の一方の導電板が配置される。
【００６８】
それぞれの電解液の流入管または流出管の先端には、筒状部６０が形成されている。筒状部６０は、エンドプレート２からセル積層体の内部に向けて突出している。セル積層体の端部に配置された端部導電板５１には穴部が形成されて、この穴部が筒状部６０に挿入されている。そして、ガスケット５２の穴部が筒状部６０に挿入される。ガスケット５２は、平板部と、筒状部６０の周りを取り囲む突出部５６ａと、端部導電板５１の外縁に沿って形成されている突出部５６ｂとを有する。更にセル積層体の端部では、保持部材の代わりにターミナル部材５３が配置される。ターミナル部材５３には、突出部５６ａ，５６ｂが配置される凹部１４ａ，１４ｅが形成されている。
【００６９】
ガスケット５２には、隔膜が固定されておらずに開口部３７が形成されている。ターミナル部材５３の穴部１６にはフェルト２７が挿入される。ターミナル部材５３には、図３および図４に示すガスケット３１および保持部材１１が取り付けられる。
【００７０】
本実施の形態の第１のセル積層体の端部では、筒状部６０がエンドプレート２から飛び出している。ガスケット５２には、筒状部６０を取り囲むように突出部５６ａが形成されている。突出部５６ａが端部導電板５１と筒状部６０との間の領域に圧接することにより密閉を達成することができる。この構造では、端部導電板５１とエンドプレート２との間にガスケットを配置する必要がなく、構造を簡易にすることができる。また、セル積層体の組み立てを容易にすることができる。
【００７１】
次に、図１１から図１３を参照して、本実施の形態における第２のセル積層体について説明する。セル積層体において、要求される充放電電力が大きくなった場合には、電解液室の容積を大きくすることができる。ところが、電解液が流れる方向に電解液室を長くすると、電解液室における圧力損失が大きくなる。特に、正極室または負極室にフェルトが配置されている場合には圧力損失が大きくなる。この結果、電解液を供給するポンプが大型になったりポンプの消費電力が大きくなったりする問題が生じる。これに対して、本実施の形態の第２のセル積層体は、１つの保持部材に対して複数の正極室および複数の負極室を形成することにより、充放電電力を増大する。
【００７２】
図１１は、本実施の形態の第２のセル積層体の保持部材および固定部材の平面図である。図１２は、本実施の形態の第２のセル積層体の固定部材の平面図である。保持部材６１の中央部には段差部が形成され、この段差部にバイポーラ板および固定部材６２が嵌合することは、第１のセル積層体と同様である。保持部材６１の一方の側には正極室が形成され、他方の側には負極室が形成されること、および保持部材６１および隔膜を保持したガスケットが積層されることも第１のセル積層体と同様である。
【００７３】
第２のセル積層体においては、複数の正極室が積層方向に垂直な方向に並んで形成され、複数の負極室が積層方向に垂直な方向に並んで形成されている。保持部材６１には複数の穴部が形成されている。固定部材６２には保持部材６１の穴部に対応する複数の開口部６５が形成されている。図１１に示す例では、固定部材６２の開口部６５は、負極室の壁面を構成する。
【００７４】
主流路部を含む溝部１３ｂは、保持部材１１の段差部の形状に沿って延びる延長部を含む。溝部１３ｂには、ヘッダ部として機能する溝部１３ｃが接続されている。ここで、一部の溝部１３ｃは保持部材６１に形成されており、他の溝部１３ｃは固定部材６２に形成されている。溝部１３ｃには、供給部として機能する溝部１３ｄ，１３ｆが接続されている。
【００７５】
図１３に、本実施の形態の第２のセル積層体のガスケットの平面図を示す。図１４に、本実施の形態の第２のセル積層体のガスケットの断面図を示す。図１４は、図１３におけるＣ−Ｃ線に沿って切断したときの断面図である。第２の積層体のガスケット６３も一体的に形成することができる。
【００７６】
ガスケット６３は、平板部３２と突出部３３ａ，３３ｂを有する。平板部３２は、保持部材の平面的な表面と接触するように形成されている。平板部３２が保持部材６１の溝部および固定部材６２の溝部を覆うことにより、電解液の流路が形成される。
【００７７】
突出部３３ａは、保持部材６１に形成された正極流入穴部１２ａ等の貫通穴部を取り囲むように形成されている。突出部３３ａは、保持部材６１の凹部１３ａに配置される。突出部３３ｂは、保持部材６１の外縁に沿うように形成されている。本実施の形態では、密閉効果を増大するために２列の突出部３３ｂが並んで形成されている。突出部３３ｂは、保持部材６１の凹部１３ｅに配置される。突出部３３ａ，３３ｂが保持部材６１に圧接することにより、電解液の流路および電解液室が密閉される。
【００７８】
更に、ガスケット６３の開口部３７の壁面には切断部３６を形成されている。切断部３６には、隔膜が挿入される。隔膜は、ガスケット６３に挟まれることにより保持される。
【００７９】
第２のセル積層体は、セル積層体の組み立てが容易なことは第１のセル積層体と同様である。第２のセル積層体では、１つの保持部材６１に対して複数の正極室または複数の負極室が形成される。換言すると１つの保持部材６１の内部で正極室または負極室が複数に分割されている。それぞれの負極室または正極室に対して、電解液を供給する流路および電解液が流出する流路が形成されている。このために、正極室または負極室における電解液の流れ方向の長さを短くすることができて、圧力損失を低減することができるとともに充放電電力を大きくすることができる。
【００８０】
本実施の形態のセル積層体においては、保持部材の負極室が形成される側に段差部が形成されて、この段差部にバイポーラ板および固定部材が嵌め込まれているが、この形態に限られず、保持部材の正極室が形成される側に段差部が形成されて、バイポーラ板および固定部材が嵌め込まれていても構わない。更に、本実施の形態のセル積層体では、複数の保持部材の段差部が一方向を向くように形成されているが、この形態に限られず、セル積層体は、段差部が任意の方向に向くように保持部材が積層されていても構わない。たとえば、２つの保持部材の段差部が互いに対向するように保持部材のペアが構成され、このペアが積層されていても構わない。
【００８１】
本実施の形態においては、蓄電池としてのレドックスフロー電池のセル積層体を例示して説明したが、この形態に限られず、正極電解液室および負極電解液室が隔壁にて仕切られているセル積層体に本発明を適用することができる。
【００８２】
上記の実施の形態は、適宜組み合わせることができる。上述のそれぞれの図において、同一または相等する部分には同一の符号を付している。なお、上記の実施の形態は例示であり発明を限定するものではない。また、実施の形態においては、特許請求の範囲に示される実施の形態の変更が含まれている。
【符号の説明】
【００８３】
１    蓄電池
１１    保持部材
１２ａ    正極流入穴部
１２ｂ    正極流出穴部
１２ｃ    負極流入穴部
１２ｄ    負極流出穴部
１３ａ，１３ｅ    凹部
１３ｂ，１３ｃ，１３ｄ，１３ｆ    溝部
１４ａ，１４ｅ    凹部
１４ｂ，１４ｃ，１４ｄ    溝部
１５    段差部
１６    穴部
２１    バイポーラ板
２３    固定部材
２８    隔膜
３１    ガスケット
３２    平板部
３３ａ，３３ｂ    突出部
３４    切欠き部
３６    切断部
６１    保持部材
６２    固定部材
６３    ガスケット
８１    正極室
８２    負極室
【図１】
2015215948.tif 000003
【図２】
2015215948.tif 000004
【図３】
2015215948.tif 000005
【図４】
2015215948.tif 000006
【図５】
2015215948.tif 000007
【図６】
2015215948.tif 000008
【図７】
2015215948.tif 000009
【図８】
2015215948.tif 000010
【図９】
2015215948.tif 000011
【図１０】
2015215948.tif 000012
【図１１】
2015215948.tif 000013
【図１２】
2015215948.tif 000014
【図１３】
2015215948.tif 000015
【図１４】
2015215948.tif 000016